(57)【特許請求の範囲】
【請求項１】
野菜室の天面を断熱壁で形成するとともに、前記断熱壁の内部に野菜室冷却用風路を設け、前記断熱壁の下面周縁部から冷気が吹き出す構成として、
前記野菜室に冷気が直接当たることなく間接冷却するようにするとともに、
前記野菜室冷却用風路を断熱することにより前記野菜室の天面に断熱された冷気風路を形成したことを特徴とする冷蔵庫。
【請求項２】
野菜室の天面を断熱壁で形成するとともに、前記断熱壁の内部に野菜室冷却用風路を設け、冷気流込防止リブを野菜室の側壁と所望間隔を有するように前記断熱壁から垂下させて野菜収納ケースおよびまたはフルーツ収納ケースの横側に所望高さの隔壁を形成し、冷気が側壁と冷気流込防止リブの間から吹き出す構成として、
前記野菜室に冷気が直接当たることなく間接冷却するようにするとともに、
前記野菜室冷却用風路を断熱することにより前記野菜室の天面に断熱された冷気風路を形成したことを特徴とする冷蔵庫。
【請求項３】
野菜室の天面を断熱壁で形成するとともに、前記断熱壁の内部に野菜室冷却用風路を設け、冷気流込防止パッキンを野菜室の側壁と所望間隔を有するように前記断熱壁から垂下するように取り付けて野菜収納ケースおよびまたはフルーツ収納ケースの横側に所望高さの隔壁を形成し、冷気が側壁と冷気流込防止パッキンの間から吹き出す構成として、
前記野菜室に冷気が直接当たることなく間接冷却するようにするとともに、
前記野菜室冷却用風路を断熱することにより前記野菜室の天面に断熱された冷気風路を形成したことを特徴とする冷蔵庫。
【請求項４】
野菜室の天面を断熱壁で形成するとともに、前記断熱壁の内部に野菜室冷却用風路を設け、冷気流込防止リブを野菜室の側壁と所望間隔を有するように野菜ケースの横側に垂設して野菜収納ケースおよびまたはフルーツ収納ケースの両側に所望高さの隔壁を形成し、冷気が側壁と冷気流込防止リブの間から吹き出す構成として、
前記野菜室に冷気が直接当たることなく間接冷却するようにするとともに、
前記野菜室冷却用風路を断熱することにより前記野菜室の天面に断熱された冷気風路を形成したことを特徴とする冷蔵庫。
【請求項５】
野菜室の天面を断熱壁で形成するとともに、前記断熱壁の内部に野菜室冷却用風路を設け、冷気流込防止パッキンを野菜室の側壁と所望間隔を有するように前記野菜ケースの横側に立ち上がるように取り付けて野菜収納ケースまたはおよびフルーツ収納ケースの両側に所望高さの隔壁を形成し、冷気が側壁と冷気流込防止パッキンの間から吹き出す構成として、
前記野菜室に冷気が直接当たることなく間接冷却するようにするとともに、
前記野菜室冷却用風路を断熱することにより前記野菜室の天面に断熱された冷気風路を形成したことを特徴とする冷蔵庫。
【請求項６】
前記冷気流入防止リブを前記野菜室の天面または野菜収納ケースと同一材料で一体成形して備えたことを特徴とする請求項２または請求項４記載の冷蔵庫。
【発明の詳細な説明】
【０００１】
【発明の属する技術分野】
この発明は貯蔵性能等の優れた冷蔵庫に関するものである。
【０００２】
【従来の技術】
図９は従来の冷蔵庫の側断面図である。図において、１は野菜室で、一般的には冷蔵庫の中段または下段に設けられている。２、３は仕切りで、別の温度帯との間を区画するように設けられている。４は野菜室引出扉で、野菜室１の側壁に設けたレールやローラー等の部品からなる横行移動機構に支えられており、庫内の奥行方向に引き出し可能になっている。５は野菜収納ケースで、野菜室引出扉４と一体的に支えられている。６はフルーツ収納ケースで、果物等の野菜と区別して保存したい食品専用になっており、野菜収納ケース５内の上部を製品奥行方向にスライドすることができる。７は前記野菜収納ケース５とフルーツ収納ケース６を密閉している野菜室蓋で、仕切り２から吹き出る冷気が野菜や果物に直接当り、水分が蒸散するのを防止できる。また、仕切り２と野菜室蓋７との間は冷気が循環し野菜室１を冷却するための風路の役割も果たしている。
【０００３】
【発明が解決しようとする課題】
上記のように従来の冷蔵庫の形態では、野菜収納ケース５およびフルーツ収納ケース６内の野菜や果物の水分の蒸散を防止すために、冷気を直接野菜や果物の等の食品に当てないように野菜収納ケース５およびフルーツ収納ケース６を密閉する別ピースの野菜室蓋７が必要であった。また、断熱されていない仕切り２と野菜室蓋７の上に冷気を循環させて野菜室１を冷却しているので、仕切り２や野菜室蓋７に結露し、その水滴が野菜収納ケース５およびフルーツ収納ケース６内の野菜や果物に落下するなどして見栄えも悪く不衛生に感じるなどの問題があった。
【０００４】
この発明はかかる問題点を解決するためになされたもので、冷気が直接野菜ケースやフルーツ収納ケース内の野菜や果物等の貯蔵物に当たらず、野菜や果物等の貯蔵物からの水分蒸散を防ぐことができ、また、結露が発生しない貯蔵性能等の優れた冷蔵庫を提供することを目的とする。
【０００５】
【課題を解決するための手段】
この発明に係る冷蔵庫は、野菜室の天面を断熱壁で形成するとともに、前記断熱壁の内部に野菜室冷却用風路を設け、前記断熱壁の下面周縁部から冷気が吹き出す構成として、前記野菜室に冷気が直接当たることなく間接冷却するようにするとともに、前記野菜室冷却用風路を断熱することにより前記野菜室の天面に断熱された冷気風路を形成したものである。
【０００６】
また、野菜室の天面を断熱壁で形成するとともに、前記断熱壁の内部に野菜室冷却用風路を設け、冷気流込防止リブを野菜室の側壁と所望間隔を有するように前記断熱壁から垂下させて野菜収納ケースおよびまたはフルーツ収納ケースの横側に所望高さの隔壁を形成し、冷気が側壁と冷気流込防止リブの間から吹き出す構成として、前記野菜室に冷気が直接当たることなく間接冷却するようにするとともに、前記野菜室冷却用風路を断熱することにより前記野菜室の天面に断熱された冷気風路を形成したものである。
【０００７】
また、野菜室の天面を断熱壁で形成するとともに、前記断熱壁の内部に野菜室冷却用風路を設け、冷気流込防止パッキンを野菜室の側壁と所望間隔を有するように前記断熱壁から垂下するように取り付けて野菜収納ケースおよびまたはフルーツ収納ケースの横側に所望高さの隔壁を形成し、冷気が側壁と冷気流込防止パッキンの間から吹き出す構成として、前記野菜室に冷気が直接当たることなく間接冷却するようにするとともに、前記野菜室冷却用風路を断熱することにより前記野菜室の天面に断熱された冷気風路を形成したものである。
【０００８】
また、野菜室の天面を断熱壁で形成するとともに、前記断熱壁の内部に野菜室冷却用風路を設け、冷気流込防止リブを野菜室の側壁と所望間隔を有するように野菜ケースの横側に垂設して野菜収納ケースおよびまたはフルーツ収納ケースの両側に所望高さの隔壁を形成し、冷気が側壁と冷気流込防止リブの間から吹き出す構成として、前記野菜室に冷気が直接当たることなく間接冷却するようにするとともに、前記野菜室冷却用風路を断熱することにより前記野菜室の天面に断熱された冷気風路を形成したものである。
【０００９】
また、野菜室の天面を断熱壁で形成するとともに、前記断熱壁の内部に野菜室冷却用風路を設け、冷気流込防止パッキンを野菜室の側壁と所望間隔を有するように前記野菜ケースの横側に立ち上がるように取り付けて野菜収納ケースまたはおよびフルーツ収納ケースの両側に所望高さの隔壁を形成し、冷気が側壁と冷気流込防止パッキンの間から吹き出す構成として、前記野菜室に冷気が直接当たることなく間接冷却するようにするとともに、前記野菜室冷却用風路を断熱することにより前記野菜室の天面に断熱された冷気風路を形成したものである。
【００１０】
また、前記冷気流入防止リブを前記野菜室の天面または野菜収納ケースと同一材料で一体成形して備えたものである。
【００１１】
【発明の実施の形態】
実施の形態１．
図１〜図４はこの発明に係る冷蔵庫の実施の形態１を示す野菜室を透視した断熱壁の斜視説明図、Ｚ−Ｚ矢視断面斜視図、正面図および風路構成の説明図である。図において、１は野菜室で、冷蔵食品として特に野菜を対象としており、一般的には冷蔵庫の中段または下段に設けられる。５は野菜収納ケースで、野菜室１の側壁に設けたレールやローラー等の部品からなる横行移動機構に支えられている野菜室引出扉４（図９参照）と一体的に支えられている。６はフルーツ収納ケースで、野菜収納ケース５内の上部に跨った状態で製品奥行方向にスライドすることができる。８は冷気流込防止リブで、野菜室１の天面の両側から側壁と所望の間隔を有し、野菜収納ケース５およびフルーツ収納ケース６を挟む状態で所望高さの隔壁を形成するように垂下している。１０は冷気で、所望温度に調整され、野菜室１に流入する。１６は断熱壁で、野菜室１の天面を構成する。１７は野菜室冷却用風路で、野菜室１の天面を構成する断熱壁１６の内部に設けられ、断熱壁１６の下面の両側部では冷気流込防止リブ８の外側に開口して冷気１０を吹き出すようにしている。
【００１２】
上記のように構成された実施の形態１の野菜室１は、図３に示す冷蔵庫５０の中段に備えるものである。前記冷蔵庫５０は、最上段が冷蔵室１００、次段が引出しドアを備えた貯氷室６００、および貯氷室６００とは断熱壁で天井面、側面、背面の何れも完全に仕切られている切替室７００になっており、最下段が冷凍室になっている。前記切替室７００は、引出ドアを備えた冷凍温度帯（ー１８℃）から冷蔵、野菜、チルドの温度帯に切り替えることができる。なお、野菜室１と冷凍室２５０とは、それぞれ５℃と−１８℃の異なる温度帯なので、断熱壁で仕切られている。
【００１３】
上記冷蔵庫５０の冷気の循環系統を示した図４で明らかなように、野菜室１を冷却する冷気は、冷蔵室１００に送られた冷気を戻すための冷蔵室用帰還風路１３を野菜室１に連通させて設け、冷蔵室１００から吸い込み口１２ｂを介して帰還する途中のものである。冷蔵室１００の冷却は、切替室用送風路１１を通る冷気の一部を冷蔵室用送風路１２に供給し、冷蔵室用ダンパ１２ａにより調節して行われる。冷蔵室１００から送られて吹出し口１４ａより野菜室１に供給され、野菜室１を冷却した後の冷気は、吸込み口１４ｂを介して野菜室用帰還風路１４を通り、戻り口１４ｃより冷却器１５へ戻される。
【００１４】
冷蔵室１００から送られて吹出し口１４ａより野菜室１に供給する冷気１０は、断熱壁１６の中間部に設けられた野菜室冷却用風路１７に取り入れ、冷気流込防止リブ８の外側に吹き出して野菜室１内を冷却するようになっている。
この結果、野菜収納ケース５およびフルーツ収納ケース６内は間接冷却されるため、冷気１０が収蔵した食品に直接当たることなく食品の乾燥を防止できる。また、野菜室冷却用風路１７は断熱されているので、キャベツやレタスなどを取り出し、使用後に再度収納することが行われるため、開閉頻度が他の部屋より多く、使用頻度も高い野菜室１でも、天面に結露することがなく、水滴が野菜収納ケース５およびフルーツ収納ケース６内の食品に垂れることがない。
【００１５】
また、ファン１８は、冷却器１５で冷却された所望温度の冷気を冷蔵庫５０内に循環させる。冷蔵庫５０内を循環させる冷気は、貯氷室用風路１９を通り、吹出し口１９ａより貯氷室６００に供給される。同様に冷凍室用送風路２０を通り、吹出し口２０ａより冷凍室２５０に供給される。貯氷室６００に吹き出された冷気は、吸い込み口１９ｂより貯氷室帰還路２１を介して戻り口１９ｃより冷却器１５に戻される。冷凍室２５０も同様に吸い込み口２０ｂより戻される。
【００１６】
なお、野菜室冷却用風路１７から野菜室１への冷気１０は、冷気流込防止リブ８の外側へのみ吹き出すようにする、または冷気流込防止リブ８の外側、前面側から吹き出すようにしてもよい。さらに、冷気１０は背面側からも吹き出すようにしてもよく、その際、背面側に冷気流込防止リブ８を設けてもよいものである。
【００１７】
実施の形態２．
上記実施の形態１においては、冷気流込防止リブ８を断熱壁１６から垂下させたが、この実施の形態２では、図５および図６に示すように野菜室１の上部の天面の断熱壁１６に冷気流込防止パッキン９が取り付けられて野菜収納ケース５およびフルーツ収納ケース６を挟む状態で所望高さの隔壁を形成するように垂下し、断熱壁１６の内部に設けた野菜室冷却用風路１７から吹き出す冷気１０を野菜収納ケース５の外側に導く構造として、冷気１０が野菜収納ケース５およびフルーツ収納ケース６に冷気１０が直接流入しないようになっている。この冷気流込防止パッキン９は、その長さが異なるものとすることによって、野菜収納ケース５およびフルーツ収納ケース６の外側に吹出された冷気１０を野菜収納ケース５およびフルーツ収納ケース６内により一層入り難くすることができ、間接冷却の効果をより一層上げ、野菜収納ケース５およびフルーツ収納ケース６内の乾燥をさらに防ぐことができる。
【００１８】
実施の形態３．
上記実施の形態１および２においては、冷気流込防止リブ８を断熱壁１６から垂下したが、この実施の形態３では、図７に示すように野菜収納ケース５の上部横側に冷気流入防止リブ８を鉛直方向に備え野菜室１上部の断熱壁１６の内部に設けた野菜室冷却用風路１７から吹き出す冷気１０を野菜収納ケース５およびフルーツ収納ケース６の外側に導く構造をとり、野菜収納ケース５およびフルーツ収納ケース６内に直接冷気１０が入り込むのを防止するもので、食品の乾燥を効果的に防ぐことができる。
【００１９】
実施の形態４．
上記実施の形態３においては、冷気流込防止リブ８を野菜収納ケース５の上部横側へ鉛直方向に備えたが、この実施の形態４では、図８に示すように野菜収納ケース５の上部の両側に、冷気流込防止パッキン９を断熱壁１６に向かって立ち上がるように取り付けて、野菜室冷却用風路１７から吹き出す冷気１０を野菜収納ケース５の外側に導く構造としている。野菜収納ケース５およびフルーツ収納ケース６内に直接冷気１０が入り込むのを防止する冷気流込防止パッキン９は、その長さが異なるものとすることによって、野菜収納ケース５およびフルーツ収納ケース６の外側に吹出された冷気を野菜収納ケース５およびフルーツ収納ケース６内により一層入り難くすることができ、間接冷却の効果をより一層上げ、野菜収納ケース５およびフルーツ収納ケース６内の貯蔵品の乾燥をさらに効果的に防ぐことができる。
【００２０】
実施の形態５．
上記実施の形態１および３において、断熱壁１６もしくは野菜収納ケース５に設けた冷気流入防止リブ８を、オレフィン系樹脂の同一材料で一体成形することによってリサイクルに有効なものとすることができる。
【００２１】
【発明の効果】
この発明は、野菜室の天面を断熱壁で形成するとともに、前記断熱壁の内部に野菜室冷却用風路を設け、前記断熱壁の下面周縁部から冷気が吹き出す構成として、前記野菜室に冷気が直接当たることなく間接冷却するようにするとともに、前記野菜室冷却用風路を断熱することにより前記野菜室の天面に断熱された冷気風路を形成したので、冷気が収蔵した食品に向かって流れるこがなく食品の乾燥を防止できる。野菜室は天面に結露することなく、野菜収納ケースおよびフルーツ収納ケースに別ピースの蓋を廃止しても、水滴が収蔵中の食品に垂れることがないので、カビの発生、腐敗等を防止でき良好な衛生状態が維持される。別ピースの蓋を廃止することにより、廃却時の分別廃却の手間を省くことができ、生産性、経済性の向上が図れる。
【００２２】
また、野菜室の天面を断熱壁で形成するとともに、前記断熱壁の内部に野菜室冷却用風路を設け、冷気流込防止リブを野菜室の側壁と所望間隔を有するように前記断熱壁から垂下させて野菜収納ケースおよびまたはフルーツ収納ケースの横側に所望高さの隔壁を形成し、冷気が側壁と冷気流込防止リブの間から吹き出す構成として、前記野菜室に冷気が直接当たることなく間接冷却するようにするとともに、前記野菜室冷却用風路を断熱することにより前記野菜室の天面に断熱された冷気風路を形成したので、野菜収納ケースおよびフルーツ収納ケース内は間接冷却されるため冷気が収蔵した食品に直接当たらず、蓋で密閉することなく食品の乾燥防止等の上記のような効果がさらに向上する。
【００２３】
また、野菜室の天面を断熱壁で形成するとともに、前記断熱壁の内部に野菜室冷却用風路を設け、冷気流込防止パッキンを野菜室の側壁と所望間隔を有するように前記断熱壁から垂下するように取り付けて野菜収納ケースおよびまたはフルーツ収納ケースの横側に所望高さの隔壁を形成し、冷気が側壁と冷気流込防止パッキンの間から吹き出す構成として、前記野菜室に冷気が直接当たることなく間接冷却するようにするとともに、前記野菜室冷却用風路を断熱することにより前記野菜室の天面に断熱された冷気風路を形成したので、上記のような効果が得られるとともに、設計変更への対応度を高めること等が図れる。
【００２４】
また、野菜室の天面を断熱壁で形成するとともに、前記断熱壁の内部に野菜室冷却用風路を設け、冷気流込防止リブを野菜室の側壁と所望間隔を有するように野菜ケースの横側に垂設して野菜収納ケースおよびまたはフルーツ収納ケースの両側に所望高さの隔壁を形成し、冷気が側壁と冷気流込防止リブの間から吹き出す構成として、前記野菜室に冷気が直接当たることなく間接冷却するようにするとともに、前記野菜室冷却用風路を断熱することにより前記野菜室の天面に断熱された冷気風路を形成したので、野菜室の構造がシンプルになり、上記と同様な効果が得られるとともに、生産コストの低減等が図れる。
【００２５】
また、野菜室の天面を断熱壁で形成するとともに、前記断熱壁の内部に野菜室冷却用風路を設け、冷気流込防止パッキンを野菜室の側壁と所望間隔を有するように前記野菜ケースの横側に立ち上がるように取り付けて野菜収納ケースまたはおよびフルーツ収納ケースの両側に所望高さの隔壁を形成し、冷気が側壁と冷気流込防止パッキンの間から吹き出す構成として、前記野菜室に冷気が直接当たることなく間接冷却するようにするとともに、前記野菜室冷却用風路を断熱することにより前記野菜室の天面に断熱された冷気風路を形成したので、上記と同様な効果が得られる。
【００２６】
また、前記冷気流入防止リブを前記野菜室天面または野菜収納ケースと同一材料で一体成形して備えたので、上記と同様な効果が得られるとともに、リサイクルに有効なものとすることができる。
【図面の簡単な説明】
【図１】  この発明に係る冷蔵庫の実施の形態１を示す野菜室を透視した断熱壁の斜視説明図である。
【図２】  図１のＺ−Ｚ矢視断面斜視図である。
【図３】  この発明に係る冷蔵庫の実施の形態１を示す正面図である。
【図４】  この発明に係る冷蔵庫の実施の形態１を示す風路構成の説明図である。
【図５】  この発明に係る冷蔵庫の実施の形態２の野菜室を透視して示す断熱壁の斜視説明図である。
【図６】  図５のＹ−Ｙ矢視を示す断面斜視図である。
【図７】  この発明に係る冷蔵庫の実施の形態３を示す野菜室の断面説明図である。
【図８】  この発明に係る冷蔵庫の実施の形態４を示す野菜室の断面説明図である。
【図９】  従来の冷蔵庫の実施の形態を示す野菜室の側面断面図である。
【符号の説明】
１  野菜室、２，３  仕切り、４  野菜室引出扉、５  野菜収納ケース、６  フルーツ収納ケース、７  野菜室蓋、８  冷気流込防止リブ、９  冷気流込防止パッキン、１０  冷気、１１  切替室用送風路、１１ａ  切替室用ダンパ、１１ｂ  吸込み口、１１ｃ  吹出し口、１２  冷蔵室用送風路、１２ａ  冷蔵室用ダンパ、１２ｂ  吸込み口、１３  冷蔵室用帰還風路、１４  野菜室用帰還風路、１４ａ  吹出し口、１４ｂ吸込み口、１４ｃ  戻り口、１５  冷却器、１６  断熱壁、１７  野菜室冷却用風路、１８  ファン、１９  貯氷室用風路、１９ａ  吹出し口、１９ｂ  吸込み口、１９ｃ  吹出し口、２０  冷凍室用風路、２０ａ吹出し口、２０ｂ  吸込み口、２１  貯氷室用帰還風路、２２  切替室用帰還風路、５０  冷蔵庫、１００  冷蔵室、２５０  冷凍室、６００  貯氷室、７００  切替室。
【図１】
0004123314.tif 000002
【図２】
0004123314.tif 000003
【図３】
0004123314.tif 000004
【図４】
0004123314.tif 000005
【図５】
0004123314.tif 000006
【図６】
0004123314.tif 000007
【図７】
0004123314.tif 000008
【図８】
0004123314.tif 000009
【図９】
0004123314.tif 000010